(57)【要約】      （修正有）【課題】ロッカー等の使用者による施解錠が簡易であり、キー紛失等による不使用ロッカー等をなくすと共に、かつ長期の使用に耐える施錠装置を提供する。【解決手段】施錠装置１００は、取付金具１０、固定手段Ｋ、アダプターＡ及び施錠部材の南京錠ＤＬより構成されている。取付金具１０は、剛性又は／及び耐衝撃性を有する素材、例えばステンレス鋼板を折曲して一端側にロッカーＬの枠体Ｌｂに形成された戸当たり部Ｌａに嵌合する平面視略コ字状の嵌合部を形成する。さらに嵌合部１１から延設された他端側には、南京錠ＤＬの錠杆ＤＬｃを掛止する挿通孔を設けた錠掛止部からなり、嵌合部と戸当たり部Ｌａを固定するための固定手段Ｋを備えてなる。【選択図】図１
0003179259.tif 000002
【実用新案登録請求の範囲】
【請求項１】
剛性又は／及び耐衝撃性を有する素材からなり、一端側にロッカー等の戸当たり部に嵌合する嵌合部を形成すると共に、前記嵌合部から延設された他端側には施錠部材を掛止する錠掛止部とからなり、前記嵌合部には、該嵌合部とロッカー等の戸当たり部を固定するための固定手段を具備してなる取付金具と、
本体部の一方側に前記錠掛止部が挿脱する挿通孔を設けると共に、他方側の表面に前記施錠部材を一時的に保持する保持手段を備え、本体部の他方側裏面に扉体表面の損傷防止を兼ねた固定部材を具備してなるアダプターと、
前記錠掛止部に掛止される施錠部材とから構成された、ことを特徴とするロッカー等の施錠装置。
【請求項２】
前記固定手段が、前記嵌合部の内側片に設けたナットと、該ナットに螺合する固定ボルトからなる、ことを特徴とする請求項１に記載したロッカー等の施錠装置。
【請求項３】
前記固定ボルトの先端部は前記ロッカー等の戸当たり部に食い込みが容易な形状とされている、ことを特徴とする請求項１又は請求項２に記載したロッカー等の施錠装置。
【請求項４】
前記損傷防止を兼ねた固定部材がゴムマグネットである、ことを特徴とする請求項１に記載したロッカー等の施錠装置。
【請求項５】
前記施錠部材の保持手段がマグネットである、ことを特徴とする請求項１に記載したロッカー等の施錠装置。
【請求項６】
前記施錠部材の保持手段が施錠部材の錠杆を掛止するフックである、ことを特徴とする請求項１に記載したロッカー等の施錠装置。
【請求項７】
前記剛性又は／及び耐衝撃性を有する素材が、金属材料、硬質合成樹脂材料である、ことを特徴とする請求項１に記載したロッカー等の施錠装置。
【考案の詳細な説明】
【技術分野】
【０００１】本考案は、ロッカー等の施錠装置に関する。
【背景技術】
【０００２】従来より、企業や学校等の更衣室等には１〜複数の縦長状筐体が連結されたロッカーが常設され、従業員や学生等は自己の衣服や履物、携帯品等を一時的に収納しておく場所として利用している。一般的にロッカーの各筐体にはシリンダー錠が装着され、管理者は利用者に施解錠用の鍵を貸与している。しかしながら、シリンダー錠の鍵はしばしば紛失したり、ロッカー利用者が退職や卒業等に際し、貸与した鍵が管理者に未返却となる事態や既設ロッカーの製作完了に伴うスペアキーの追加製作ができない等の状況になることがある。したがって、これらの状況等に伴い、管理者は解錠不能のロッカーを使用不可とするか、業者に依頼して解錠と錠の取替を行わなければならないという不具合が生じている。【０００３】また使用中のロッカーの鍵を第三者（例えば、鍵拾得者等）が所持し、犯罪行為の可能性が考えられる場合、これを未然に防止する施錠装置の開発も期待されていた。【０００４】上記のような不具合等を解消する一方策として、ロッカーの管理者及び利用者にとっては、施解錠に際しての鍵が不要な、例えばシリンダー付番号可変南京錠やダイヤル式施錠装置等の装着が好ましい。しかし、鍵不要の錠を装着するには、ロッカー又は扉に上記するような施錠部材を取り付ける装置ないし取付具等を組み付けなければならない。【０００５】特許文献１（図１、参照）は、シリンダー錠とダイヤル錠を組み合わせてなる南京錠であり、本願考案者は、先にこれを開発し実用化したもので、ロッカーの鍵及びその管理等に関する上記の不具合等に鑑みて鋭意検討し、特許文献１等が活用できることに着目して本願考案を完成したものである。
【先行技術文献】
【特許文献】
【０００６】
【特許文献１】実用新案登録第３１６９２８５号公報
【考案の概要】
【考案が解決しようとする課題】
【０００７】本願考案が解決しようとする第１の課題は、ロッカー等の使用者による施解錠が簡易であり、キー紛失等による不使用ロッカー等を無くすと共に、かつ長期の使用に耐える施錠装置を提供することである。第２の課題は、経年使用に伴う枠体と取付金具や固定部材等とのズレなどの不具合を簡単に修正可能な施錠装置の提供することである。第３の課題は、解錠時の施錠部材を手近かな場所に一時的に保管可能な施錠装置を提供することである。第４の課題は、破壊困難で防盗性ないしは防犯性の高い施錠装置を提供すると共に、既設のロッカー等にも簡便に装着可能な施錠装置を提供することにある。
【課題を解決するための手段】
【０００８】課題を解決するための手段は、本願、実用新案登録請求の範囲の各請求項に記載の考案であり、その具体的な解決手段は、以下の通りである。【０００９】上記の課題を解決する第１の考案は、請求項１に記載の考案であり、
剛性又は／及び耐衝撃性を有する素材からなり、一端側にロッカー等の戸当たり部に嵌合する嵌合部を形成すると共に、前記嵌合部から延設された他端側には施錠部材を掛止する錠掛止部とからなり、前記嵌合部には、該嵌合部とロッカー等の戸当たり部を固定するための固定手段を具備してなる取付金具と、
本体部の一方側に前記錠掛止部が挿脱する挿通孔を設けると共に、他方側の表面に前記施錠部材を一時的に保持する保持手段を備え、本体部の他方側裏面に扉体表面の損傷防止を兼ねた固定部材を具備してなるアダプターと、
前記錠掛止部に掛止される施錠部材とから構成された、ことを特徴とするものである。【００１０】上記の課題を解決する第２の考案は、請求項２に記載の考案であり、
請求項１に記載したロッカー等の施錠装置であって、前記固定手段が、前記嵌合部の内側片に設けたナットと、該ナットに螺合する固定ボルトからなる、ことを特徴としている。【００１１】上記の課題を解決する第３の考案は、請求項３に記載の考案であり、
請求項１又は請求項２に記載したロッカー等の施錠装置であって、前記固定ボルトの先端部は前記ロッカー等の戸当たり部に食い込みが容易な形状とされている、ことを特徴としている。【００１２】上記の課題を解決する第４の考案は、請求項４に記載の考案であり、
請求項１に記載したロッカー等の施錠装置であって、前記損傷防止を兼ねた固定部材がゴムマグネットである、ことを特徴としている。【００１３】上記の課題を解決する第５の考案は、請求項５に記載の考案であり、
請求項１に記載したロッカー等の施錠装置であって、前記施錠部材の保持手段がマグネットである、ことを特徴としている。【００１４】上記の課題を解決する第６の考案は、請求項６に記載の考案であり、
請求項１に記載したロッカー等の施錠装置であって、前記施錠部材の保持手段が施錠部材の錠杆を掛止するフックである、ことを特徴としている。【００１５】上記の課題を解決する第７の考案は、請求項７に記載の考案であり、
請求項１に記載したロッカー等の施錠装置であって、前記剛性又は／及び耐衝撃性を有する素材が、金属材料、硬質合成樹脂材料である、ことを特徴としている。
【考案の効果】
【００１６】本願考案に係る、ロッカー等の施錠装置は、上記のような特徴的構成要件から構成され、特徴的構成要件に応じた、以下のような本願考案特有の効果を奏する。また、上記のような特徴的構成要件から構成されたロッカー等の施錠装置によれば、本願考案の課題を十分に解消することができた。第１の考案によれば、「剛性又は／及び耐衝撃性を有する素材からなり、一端側にロッカー等の戸当たり部に嵌合する嵌合部を形成すると共に、前記嵌合部から延設された他端側には施錠部材を掛止する錠掛止部とからなり、前記嵌合部には、該嵌合部とロッカー等の戸当たり部を固定するための固定手段を具備してなる取付金具と、本体部の一方側に前記錠掛止部が挿脱する挿通孔を設けると共に、他方側の表面に前記施錠部材を一時的に保持する保持手段を備え、本体部の他方側裏面に扉体表面の損傷防止を兼ねた固定部材を具備してなるアダプターと、
前記錠掛止部に掛止される施錠部材とから構成された」という特徴的構成要件により、また第２の考案によれば、「前記固定手段が、前記嵌合部の内側片に設けたナットと、該ナットに螺合する固定ボルトからなる」という特徴的構成要件により、さらに第３の考案によれば、記固定ボルトの先端部は前記ロッカー等の戸当たり部に食い込みが容易な形状とされている」という特徴的構成要件により、
ロッカー等の使用者による施解錠が簡易であり、キー紛失等による不使用ロッカー等を無くすと共に、かつ長期使用に耐える施錠装置の提供という第１の課題を解決することができた。すなわち、本願考案の施錠装置に掛止されるのは、例えば、シリンダー付ダイヤル南京錠やダイヤル式施錠装置（以下、南京錠という）等であり、ロッカー等の使用者は、鍵を所持することなく施解錠が可能で、アダプターは扉体に固定されているので施解錠毎に着脱する手間を要しない。またロッカー等の戸当たり部への固定手段の取り付けは、嵌合部の内側片に設けたナットを介し固定ボルトによってロッカー等の戸当たり部に強く固定され、長期の使用に耐えることができる。さらに固定手段の取り外し等は、固定ボルト頂部に形成されたローレットを指先で摘んでこれを回動すれば、固定ボルトはロッカー等の戸当たり部から離間し、何らの工具を使用することなく、固定手段（取付金具）を枠体から容易に取り外すことができる。【００１７】第４の考案によれば、「前記損傷防止を兼ねた固定部材がゴムマグネットである」という特徴的構成要件により、経年使用に伴う枠体と取付金具や固定部材等とのズレなどの不具合は簡単に修正可能な施錠装置の提供という第２の課題を解決することができた。すなわち使用者や第三者等が取付金具やアダプター等に無意識に接触して不具合が起きても取付金具やアダプターは、使用者によって簡単に修正することができる。【００１８】第５の考案によれば、「前記施錠部材の保持手段がマグネットである」という特徴的構成要件により、また第６の考案によれば、「前記施錠部材の保持手段が施錠部材の錠杆を掛止するフックである」という特徴的構成要件により、解錠時の施錠部材を一時的に保管可能な施錠装置の提供という第３の課題を解決することができた。すなわち解錠された南京錠等の施錠部材の錠杆が鉄などの帯磁性素材であれば、アダプターに備えられた保持手段のマグネットに磁着させることができ、錠杆が真鍮などの非帯磁性素材であれば、アダプターに備えられた保持手段であるフックに掛止することができ、かつ扉体の開閉に伴う遠心力が働いても施錠部材がアダプターから脱落することがない。【００１９】第７の考案によれば、「前記剛性又は／及び耐衝撃性を有する素材が、金属材料、硬質合成樹脂材料である」という特徴的構成要件により、また上述した第１の考案により、破壊困難で防盗性ないしは防犯性の高い施錠装置を提供すると共に、既設のロッカー等にも簡便に装着可能な施錠装置の提供という第４の課題を解決することができた。すなわち、ハンマー又はバール等の工具等を用いて南京錠、取付金具及びアダプター等を短時間で破壊しようとしても、その素材特性により破壊行動を断念させることができ、防盗ないしは防犯上有効な効果を奏することができた。また本願考案における主要部材である取付金具は、軽量かつ施工性が良好であり、扉体とロッカーの枠体間に簡便に嵌装可能で既設のロッカー等にも装着できる汎用性を有している。ロッカーを使用しないとき、又はロッカーの使用用途等が変わり取付金具が不要となったときなどは、管理者は簡単な手動工具を用いるか、もしくは工具なしで取付金具をロッカーの枠体から簡単に取り外すことができる。さらに本願考案の施錠装置は、既設のシリンダー錠付きのロッカーにも容易に装着可能であり、使用中のロッカーの鍵を何らかの事情等で第三者が所持している可能性があっても、ワンドア・ツーロックとして、犯罪行為を未然に防止する効果がある。
【図面の簡単な説明】
【００２０】
【図１】本考案に係る施錠装置をロッカー及び扉体に取り付け施錠した状態を示す一部切欠横断面図である。
【図２】本考案に係る施錠装置における構成部材を分離した斜視図である。
【図３】同取付金具と固定手段の実施形態を示し、（ａ）は平面図、（ｂ）は固定ボルトを取付金具に取り付けた状態の平面図、（ｃ）は固定ボルトの他の実施形態における平面図である。
【図４】同アダプターの第１の実施形態を示し、（ａ）は平面図、（ｂ）は正面図、（ｃ）は側面図、（ｄ）は背面図である。
【図５】（ａ）〜（ｆ）は、本考案に係る施錠装置をロッカー枠体及び扉体に取り付ける手順等を説明する平面図である。
【図６】アダプターに取付金具及び南京錠を取り付けた状態を示し、（ａ）は斜視図、（ｂ）は平面図、（ｃ）は南京錠を保持手段に磁着した正面図である。
【図７】アダプターの第２の実施形態を示し、（ａ）は斜視図、（ｂ）は平面図、（ｃ）は南京錠を保持手段に掛吊した正面図である。
【考案を実施するための形態】
【００２１】本考案に係るロッカー等の施錠装置について、図面を参照して説明する。図１は、ロッカーＬ及び扉体Ｄに本考案の施錠装置１００を取り付けた状態である。施錠装置１００は、取付金具１０、固定手段Ｋ、アダプターＡ及び施錠部材の南京錠ＤＬより構成されている。ＬａはロッカーＬの戸当たり部で、本考案の施錠装置１００は、ロッカーＬの枠体Ｌｂ及び縦框Ｌｃに形成されている戸当たり部Ｌａを利用するものである。図２及び図３に示すように、取付金具１０は、剛性又は／及び耐衝撃性を有する素材、例えばステンレス鋼板を折曲して一端側にロッカーＬの枠体Ｌｂに形成された戸当たり部Ｌａに嵌合する平面視略コ字状の嵌合部１１を形成すると共に、嵌合部１１から延設された他端側には、南京錠ＤＬの錠杆ＤＬｃを掛止する挿通孔１２ｈを設けた錠掛止部１２からなり、嵌合部１１と戸当たり部Ｌａを固定するための固定手段Ｋを具備している。固定手段ＫはナットＮと固定ボルトＢからなり、ナットＮは、嵌合部１１の内側片１１ａに溶着され、該ナットＮの溶着部には固定ボルトＢが挿通される透孔１１ｈが穿設されている。アダプターＡは、本体部Ａ１の一方側に錠掛止部１２が挿脱する挿通孔Ａｈを設けると共に、他方側の表面に南京錠ＤＬを一時的に保持する保持手段Ａ２を備え、本体部Ａ１の他方側裏面に扉体Ｄ表面の損傷防止を兼ねた固定部材Ａ３を具備している。Ａ４は受け部である。
【００２２】図３（ａ）〜（ｃ）は、取付金具１０と固定手段Ｋの詳細を示しており、固定ボルトＢの先端は戸当たり部Ｌａに食い込み易いように鋭角状に加工され尖鋭部Ｂａとされている。また図３（ｃ）に示すように、固定ボルトＢの先端周縁を戸当たり部Ｌａに喰い込み易いように円形状の凹部Ｂｂとすることも可能である。固定ボルトＢの頂部Ｂｃはローレット加工され、指先又はペンチ等の手工具による固定ボルトＢの回転に伴って、その凹部Ｂｂは戸当たり部Ｌａに深く喰い込み、これにより取付金具１０はロッカーＬの枠体Ｌｂに強固に固定される。
【００２３】図４は、アダプターＡの第１実施形態の詳細を示している。本体部Ａ１の一方側に錠掛止部１２が挿脱する挿通孔Ａｈを設けると共に、他方側の表面に南京錠ＤＬを一時的に保持する保持手段Ａ２を備え、本体部Ａ１の他方側裏面に扉体Ｄ表面の損傷防止を兼ねた固定部材Ａ３を具備している。南京錠ＤＬの錠杆ＤＬｃの多くは鉄材からなり、帯磁性があるのでこれを一時的に保持する保持手段Ａ２としてはマグネットが好ましい。また扉体Ｄの表面板は一般的に鉄材からなっており、固定部材Ａ３はゴムマグネットが好適で、扉体Ｄの表面に簡単に磁着するので作業性がよい。また例えば、何らかの理由で使用者や第三者がアダプターＡ等に無意識に接触して歪んだりズレなどの不具合が起きても、アダプターＡの固定部材Ａ３は、ゴムマグネットであるから使用者は、工具を使うことなく、手指等によってアダプターを簡単に修正することができる。Ａ４は受け部で南京錠ＤＬ等が何かの衝撃かはずみで地面に落下しても、ロッカーＬ等の使用者の足を直撃し受傷するのを防ぐためのものである。
【００２４】次に、図５（ａ）〜（ｆ）及び図１を参照して、取付金具１０、アダプターＡ及び南京錠ＤＬをロッカーＬの枠体Ｌｂ及び扉体Ｄに装着する手順を説明する。図５（ａ）は、ロッカーＬの枠体Ｌｂ及び扉体Ｄを示し、Ｌａは戸当たり部である。まず図５（ｂ）及び図１に示すように、取付金具１０の嵌合部１１を戸当たり部Ｌａに嵌め込み、延設部１３は枠体Ｌｂの縦框Ｌｃに当接させた後、予めナットＮに螺合している固定ボルトＢの頂部Ｂｃを指先又はペンチ等の手工具を用いて戸当たり部Ｌａを嵌合部１１の外側片１１ｂに圧接するように捻じ込んで固定する。次に図５（ｃ）及び図１に示すように、扉体Ｄを閉扉した後、取付金具１０の錠掛止部１２にアダプターＡの挿通孔Ａｈを挿入すれば、扉体Ｄの室外表面板（鉄製）ＤａにアダプターＡの固定部材Ａ３（ゴムマグネット）は自動的に固着することができる。アダプターＡ（固定部材Ａ３）を扉体Ｄに取り付ける位置は、取付金具１０の錠掛止部１２がアダプターＡの挿通孔Ａｈに挿着可能な位置に設定される。図５（ｄ）は、南京錠ＤＬを解錠後、錠掛止部１２から取り外して扉体Ｄを開扉した状態である。図５（ｅ）及び図１は、施錠装置１００をロッカーＬの枠体Ｌｂと扉体Ｄに取り付け、南京錠ＤＬを施錠した状態である。図５（ｆ）は、南京錠ＤＬを解錠し、扉体Ｄを開扉した状態で、南京錠ＤＬの錠杆ＤＬｃ（鉄材）は保持手段Ａ２のマグネットに磁着される。
【００２５】図６（ａ）〜（ｃ）は、ロッカーＬ及び枠体Ｌｂ等の図示を省略して、アダプターＡに取付金具１０及び南京錠ＤＬを取り付けた状態を示している。錠掛止部１２の挿通孔１２ｈは、小判状の長円形に設けられ、扉体Ｄの各種厚さ寸法に対応することができる。また図６（ｃ）に示すように、錠杆ＤＬｃの多くは帯磁性の鉄材から製作されているので、保持手段Ａ２のマグネットに一時的に磁着して扉体Ｄを開扉して、更衣又は携帯品等の収納や取出し等を行うことができる。また南京錠ＤＬの底部ＤＬｂは、受け部Ａ４に載置されて安定するので、開扉又は閉扉するときに起きる遠心力に対してもアダプターＡから脱落することがない。
【産業上の利用分野】
【００２６】本願考案に係る施錠装置は、更衣室等に設置される更衣ロッカーの他、戸当たり部が形成され、開閉扉体を有する事務用機器、収納機器等にも使用することができる。
【００２７】以上、本願考案に係る、ロッカー等の施錠装置に関し、その実施形態に基づいて説明したが、本願考案は、上記の実施形態に記載した構成、形状等に限定されるものではなく、実用新案登録請求の範囲内におけるその趣旨を逸脱しない範囲において適宜その構成を変更することができるものである。
【符号の説明】
【００２８】Ｄ・・・扉体、Ｌ・・・ロッカー、Ｌｂ・・・枠体、Ｌａ・・・戸当たり部、ＤＬ・・・南京錠、ＤＬｃ・・・錠杆、Ａ・・・アダプター、Ａｈ・・・挿通孔、Ａ２・・・保持手段、Ａ３・・・固定部材、１００・・・施錠装置、１０・・・取付金具、１１・・・嵌合部、１１ａ・・・内側片、１１ｂ・・・外側片、１２・・・錠掛止部、１２ｈ・・・挿通孔、１３・・・延設部、Ｋ・・・固定手段、Ｎ・・・ナット、Ｂ・・・固定ボルト、Ｂａ・・・尖鋭部、Ｂｂ・・・凹部、Ｂｃ・・・頂部
【図１】
0003179259.tif 000003
【図２】
0003179259.tif 000004
【図３】
0003179259.tif 000005
【図４】
0003179259.tif 000006
【図５】
0003179259.tif 000007
【図６】
0003179259.tif 000008
【図７】
0003179259.tif 000009